(57)【要約】【課題】専門家の主観に依存することなく、消費者にとって分かりやすく、納得できるムートンシーツの評価方法並びにその評価指標となるムートンシーツの加圧厚みの測定方法及び装置を提供する。【解決手段】デジタル式のダイヤルゲージ１０とこのダイヤルゲージ１０のスピンドル１１の先端に取り付けられた錘２０とダイヤルゲージ１０のケース１２の下端部に固定された支持台３０とから構成されている。錘２０は、横たわった人体の腰部の体圧に相当する圧力をムートンシーツの羊毛部に加えることができるように、ダイヤルゲージ１０のスピンドル１１等の重量を加味して単位面積当りの重量が設定されており、支持台３０をムートンシーツＭＳの上に載置すると支持脚３２の下端が羊皮Ｓの上面に接触すると共にムートンシーツＭＳによって錘２０が持ち上げられ、ムートンシーツＳＭに人体が横たわったと想定したときの人体の腰部部分の加圧厚みＰＴが測定される。【選択図】        図３
2020180851.tif 000002
【特許請求の範囲】
【請求項１】
ムートンシーツに人体が横たわったと想定したときの人体の所定部位におけるムートンシーツの通気性を評価するムートンシーツの評価方法であって、
羊毛部を上にして載置したムートンシーツの羊毛部上面を、横たわった人体の所定部位の体圧に相当する圧力で下方側に加圧することにより沈み込んだ羊毛の加圧厚みを測定し、この加圧厚みに基づいてムートンシーツの通気性を評価することを特徴とするムートンシーツの評価方法。
【請求項２】
羊毛部を上にして載置したムートンシーツの羊毛部上面を、横たわった特定の使用対象者の所定部位の体圧に相当する圧力で下方側に加圧することで、特定の使用対象者の体重に応じたムートンシーツの通気性を評価する請求項１に記載のムートンシーツの評価方法。
【請求項３】
羊毛部を上にして載置したムートンシーツの羊毛部上面を所定圧力で下方側に加圧することにより沈み込んだ羊毛部の加圧厚みを測定し、この加圧厚み及び加圧前の初期厚みから、下式（１）に基づいて評価指標を算出し、この評価指標に基づいてムートンシーツの弾力性を評価することを特徴とするムートンシーツの評価方法。
ＰＩ＝ＰＴ２／ＩＴ  ・・・（１）
ＰＩ：評価指標［ｍｍ］
ＰＴ：加圧厚み［ｍｍ］
ＩＴ：初期厚み［ｍｍ］
【請求項４】
ムートンシーツに人体が横たわったと想定したときの人体の所定部位におけるムートンシーツの加圧厚みを測定するムートンシーツの加圧厚み測定方法であって、
羊毛部を上にして載置したムートンシーツの羊毛部上面に横たわった人体の所定部位の体圧に相当する重量の錘を載せ、羊皮上面から錘の下面までの高さを測定することを特徴とするムートンシーツの加圧厚み測定方法。
【請求項５】
前記錘は、横たわった特定の使用対象者の所定部位の体圧に相当する重量に設定されており、
特定の使用対象者の体重に応じた加圧厚みを測定する請求項４に記載のムートンシーツの加圧厚み測定方法。
【請求項６】
ムートンシーツに人体が横たわったと想定したときの人体の所定部位におけるムートンシーツの加圧厚みを測定するムートンシーツの加圧厚み測定装置であって、
ムートンシーツの羊皮上面に接触させる基準部材と、
ムートンシーツの羊毛部上面に載置する、横たわった人体の所定部位の体圧に相当する重量の錘と、
前記基準部材における羊皮上面との接触位置から前記錘の下面までの高さを測定する高さ測定手段と
を備えていることを特徴とするムートンシーツの加圧厚み測定装置。
【請求項７】
前記錘は、横たわった特定の使用対象者の所定部位の体圧に相当する重量に設定されており、
特定の使用対象者の体重に応じた加圧厚みを測定する請求項６に記載のムートンシーツの加圧厚み測定装置。
【請求項８】
前記基準部材は、支持盤及びこの支持盤から垂下して下端がムートンシーツの羊皮上面に接触可能な３本以上の支持脚を備え、
前記錘は、少なくとも、前記基準部材の支持盤の下側を昇降可能に支持されており、
前記高さ測定手段は、前記基準部材の支持脚の下端から前記錘の下面までの高さを測定可能に構成されている請求項６または７に記載のムートンシーツの加圧厚み測定装置。
【請求項９】
少なくとも１本の前記支持脚に、加圧されていない羊毛部の厚みを計測する目盛りが付されている請求項８に記載のムートンシーツの加圧厚み測定装置。
【発明の詳細な説明】
【技術分野】
【０００１】
この発明は、ムートンシーツの使用対象者にとってわかりやすいムートンシーツの評価方法及びその評価方法に使用されるムートンシーツの加圧厚みの測定方法及び測定装置に関する。
【背景技術】
【０００２】
ムートン業界において、ムートンシーツの品質を評価する要素としては「密度」が重要視されており、販売価格を左右する大きな要素となっている。ムートンの「密度」と言えば、単位面積あたりの羊毛の本数ということになるが、１ｃｍ２のムートンには、太さが１０〜５０μｍ程度の羊毛が数千本（３０００〜５０００本程度）生えており、しかも、羊毛には、捲縮（クリンプ）と呼ばれる縮れが存在していると共に、設定パイル長（各商品の規定の羊毛の長さ）に達していない「産毛」のような短い毛も存在するので、単位面積あたりの羊毛の本数を正確に計測することは事実上不可能であり、ムートンシーツの羊毛部を手のひらで触ったときの感覚によって密度の大小を判別しているのが現状である。
【先行技術文献】
【非特許文献】
【０００３】
【非特許文献１】権義哲，他３名，「３軸力覚センサを用いたムートンの毛込み感評価方法に関する研究」，Journal of Textile Engineering(2011)，日本繊維機械学会，Vol.57，No.5，p.123-129
【発明の概要】
【発明が解決しようとする課題】
【０００４】
しかしながら、専門家の感覚に依存したムートンシーツの評価は、ムートンシーツを購入しようとする消費者には分かりにくいものとなっており、ムートンシーツの品質や価値を消費者に伝えるための指標として、実際に測定した物性値による客観的な評価手法が求められている。
【０００５】
そこで、この発明の課題は、専門家の主観に依存することなく、消費者にとって分かりやすく、納得できるムートンシーツの評価方法並びにその評価指標となるムートンシーツの加圧厚みの測定方法及び測定装置を提供することにある。
【課題を解決するための手段】
【０００６】
上記の課題を解決するため、請求項１に係る発明は、ムートンシーツに人体が横たわったと想定したときの人体の所定部位におけるムートンシーツの通気性を評価するムートンシーツの評価方法であって、羊毛部を上にして載置したムートンシーツの羊毛部上面を、横たわった人体の所定部位の体圧に相当する圧力で下方側に加圧することにより沈み込んだ羊毛の加圧厚みを測定し、この加圧厚みに基づいてムートンシーツの通気性を評価することを特徴とするムートンシーツの評価方法を提供するものである。
【０００７】
また、請求項２に係る発明は、請求項１に係る発明のムートンシーツの評価方法において、羊毛部を上にして載置したムートンシーツの羊毛部上面を、横たわった特定の使用対象者の所定部位の体圧に相当する圧力で下方側に加圧することで、特定の使用対象者の体重に応じたムートンシーツの通気性を評価することを特徴としている。
【０００８】
また、請求項３に係る発明は、羊毛部を上にして載置したムートンシーツの羊毛部上面を所定圧力で下方側に加圧することにより沈み込んだ羊毛部の加圧厚みを測定し、この加圧厚み及び加圧前の初期厚みから、下式（１）に基づいて評価指標を算出し、この評価指標に基づいてムートンシーツの弾力性を評価することを特徴としている。
ＰＩ＝ＰＴ２／ＩＴ  ・・・（１）
ＰＩ：評価指標［ｍｍ］
ＰＴ：加圧厚み［ｍｍ］
ＩＴ：初期厚み［ｍｍ］
【０００９】
また、請求項４に係る発明は、ムートンシーツに人体が横たわったと想定したときの人体の所定部位におけるムートンシーツの加圧厚みを測定するムートンシーツの加圧厚み測定方法であって、羊毛部を上にして載置したムートンシーツの羊毛部上面に横たわった人体の所定部位の体圧に相当する重量の錘を載せ、羊皮上面から錘の下面までの高さを測定することを特徴としている。
【００１０】
また、請求項５に係る発明は、請求項４に係る発明のムートンシーツの加圧厚み測定方法において、前記錘は、横たわった特定の使用対象者の所定部位の体圧に相当する重量に設定されており、特定の使用対象者の体重に応じた加圧厚みを測定することを特徴としている。
【００１１】
また、請求項６に係る発明は、ムートンシーツに人体が横たわったと想定したときの人体の所定部位におけるムートンシーツの加圧厚みを測定するムートンシーツの加圧厚み測定装置であって、ムートンシーツの羊皮上面に接触させる基準部材と、ムートンシーツの羊毛部上面に載置する、横たわった人体の所定部位の体圧に相当する重量の錘と、前記基準部材における羊皮上面との接触位置から前記錘の下面までの高さを測定する高さ測定手段とを備えていることを特徴としている。
【００１２】
また、請求項７に係る発明は、請求項６に係る発明のムートンシーツの加圧厚み測定装置において、前記錘は、横たわった特定の使用対象者の所定部位の体圧に相当する重量に設定されており、特定の使用対象者の体重に応じた加圧厚みを測定することを特徴としている。
【００１３】
また、請求項８に係る発明は、請求項６または７に係る発明のムートンシーツの加圧厚み測定装置において、前記基準部材は、支持盤及びこの支持盤から垂下して下端がムートンシーツの羊皮上面に接触可能な３本以上の支持脚を備え、前記錘は、少なくとも、前記基準部材の支持盤の下側を昇降可能に支持されており、前記高さ測定手段は、前記基準部材の支持脚の下端から前記錘の下面までの高さを測定可能に構成されていることを特徴としている。
【００１４】
また、請求項９に係る発明は、請求項８に係る発明のムートンシーツの加圧厚み測定装置において、少なくとも１本の前記支持脚に、加圧されていない羊毛部の厚みを計測する目盛りが付されていることを特徴としている。
【発明の効果】
【００１５】
以上のように、請求項１に係る発明のムートンシーツの評価方法は、羊毛部を上にして載置したムートンシーツの羊毛部上面を、横たわった人体の所定部位の体圧に相当する圧力で下方側に加圧することにより沈み込んだ羊毛の加圧厚みを測定し、実際に測定した物性値である加圧厚みに基づいてムートンシーツの通気性を評価するようにしたので、評価の根拠となる指標が具体的かつ客観的であり、専門家の感覚（感触）に依存した従来の評価方法に比べて、ムートンシーツを購入しようとする消費者には分かり易く、理解を得やすいという効果が得られる。
【００１６】
また、請求項２に係る発明のムートンシーツの評価方法は、羊毛部を上にして載置したムートンシーツの羊毛部上面を、横たわった特定の使用対象者の所定部位の体圧に相当する圧力で下方側に加圧することで、特定の使用対象者の体重に応じたムートンシーツの通気性を評価するようにしたので、ムートンシーツの購入を考えている特定の使用対象者に適したムートンシーツを勧めることができるという効果が得られる。
【００１７】
また、請求項３に係る発明のムートンシーツの評価方法は、羊毛部を上にして載置したムートンシーツの羊毛部上面を所定圧力で下方側に加圧することにより沈み込んだ羊毛部の加圧厚みを測定し、この加圧厚み及び加圧前の初期厚みから、上述した式（１）に基づいて評価指標を算出し、この評価指標に基づいてムートンシーツの弾力性を評価するようにしたので、評価の根拠となる指標が客観的であり、専門家の感覚（感触）に依存した従来の評価方法に比べて、ムートンシーツを購入しようとする消費者には分かり易く、理解を得やすいという効果が得られる。
【００１８】
また、請求項４に係る発明のムートンシーツの加圧厚み測定方法は、羊毛部を上にして載置したムートンシーツの羊毛部上面に横たわった人体の所定部位の体圧に相当する重量の錘を載せ、羊皮上面から錘の下面までの高さを測定するようにしたので、ムートンシーツの加圧厚みを簡易かつ確実に測定することができる。
【００１９】
また、請求項５に係る発明のムートンシーツの加圧厚み測定方法は、錘が、横たわった特定の使用対象者の所定部位の体圧に相当する重量に設定されており、特定の使用対象者の体重に応じた加圧厚みを測定するようにしたので、ムートンシーツの購入を考えている特定の使用対象者に対する個別具体的な指標としての加圧厚みを測定することができる。
【００２０】
また、請求項６に係る発明のムートンシーツの加圧厚み測定装置は、ムートンシーツの羊皮上面に接触させる基準部材と、ムートンシーツの羊毛部上面に載置する、横たわった人体の所定部位の体圧に相当する重量の錘と、基準部材における羊皮上面との接触位置から前記錘の下面までの高さを測定する高さ測定手段とを備えているので、基準部材をムートンシーツの羊皮上面に接触させた状態で、ムートンシーツの羊毛部上面に錘を載置するだけで、ムートンシーツの加圧厚みを簡易かつ確実に測定することができる。
【００２１】
また、請求項７に係る発明のムートンシーツの加圧厚み測定装置は、錘が、横たわった特定の使用対象者の所定部位の体圧に相当する重量に設定されており、特定の使用対象者の体重に応じた加圧厚みを測定するようにしたので、ムートンシーツの購入を考えている特定の使用対象者に対する個別具体的な指標としての加圧厚みを簡単に測定することができる。
【００２２】
また、請求項８に係る発明のムートンシーツの加圧厚み測定装置は、基準部材をムートンシーツの羊皮上面に載せるだけで、その支持脚の下端が羊皮上面に接触すると共に、錘がムートンシーツの羊毛部上面を下方側に押し下げ、高さ測定手段が支持脚の下端から錘の下面までの高さ、即ち、ムートンシーツの加圧厚みを測定するので、使い勝手が良く、短時間でムートンシーツの加圧厚みを測定することができる。
【００２３】
また、請求項９に係る発明のムートンシーツの加圧厚み測定装置は、少なくとも１本の支持脚に、加圧されていない羊毛部の厚みを計測する目盛りが付されているので、基準部材をムートンシーツの羊皮上面に載せるだけで、加圧されていない羊毛部の初期厚みを計測することができる。従って、ムートンシーツの加圧厚みを測定する際に、初期厚みを併せて計測することができ、加圧厚み及び加圧前の初期厚みから弾力性の評価指標ＰＩを算出する場合に便利である。
【図面の簡単な説明】
【００２４】
【図１】（ａ）はこの発明に係るムートンシーツの加圧厚み測定装置の一実施形態を示す正面図、（ｂ）は同上の加圧厚み測定装置を示す側面図、（ｃ）は同上の加圧厚み測定装置を示す底面図である。
【図２】（ａ）、（ｂ）は同上の加圧厚み測定装置を用いた加圧厚みの測定方法を示す図である。
【図３】（ａ）、（ｂ）は同上の加圧厚み測定装置を用いた加圧厚みの測定方法を示す図である。
【図４】同上の加圧厚み測定装置の変形例を示す部分正面図である。
【図５】同上の加圧厚み測定装置を用いた加圧厚みの測定方法を示す図である。
【図６】同上の加圧厚み測定装置の他の変形例を示す部分正面図である。
【図７】ムートンシーツの加圧厚み測定装置の他の実施形態を示す正面図である。
【図８】同上の加圧厚み測定装置を用いた加圧厚みの測定方法を示す図である。
【発明を実施するための形態】
【００２５】
以下、実施の形態について図面を参照して説明する。図１（ａ）〜（ｃ）に示すように、この加圧厚み測定装置１は、ムートンシーツに所定の圧力を加えたときに沈み込んだ羊毛部の加圧厚みを測定するものであり、デジタル式のダイヤルゲージ１０と、このダイヤルゲージ１０のスピンドル１１の先端に取り付けられた測定子としての錘２０と、ダイヤルゲージ１０のケース１２の下端部に固定された支持台３０とから構成されている。
【００２６】
前記ダイヤルゲージ１０は、先端に錘２０が取り付けられたスピンドル１１の直線の動き（上下動）をエンコーダーによって読み取って、その読み取った値を液晶表示部１３に表示するようになっており、錘２０の下面が基準位置に位置しているときをゼロ点とし、この基準位置からの錘２０の下面の変位量を測定することができるようになっている。
【００２７】
前記錘２０は、横たわった人体の所定部位（例えば、腰部）の体圧に相当する圧力をムートンシーツの羊毛部に加えることができるように、ダイヤルゲージ１０のスピンドル１１等の可動部の重量を加味して単位面積当りの重量が設定されており、この錘２０を被測定物（ムートンシーツ）に載置することで、横たわった人体の所定部位（例えば、腰部）の体圧に相当する圧力が加わるようになっている。
【００２８】
前記支持台３０は、円形状の支持盤３１と、この支持盤３１の外周縁部から垂下する３本の支持脚３２とを備えており、錘２０が３本の支持脚３２の内側を昇降するように、ダイヤルゲージ１０のスピンドル１１が支持盤３１の中心穴を非接触貫通した状態で、支持盤３１がダイヤルゲージ１０のケース１２の下端部に固定されている。なお、スピンドル１１が最も降下した状態では、錘２０の下面が支持脚３２の下端よりも下側に位置している。
【００２９】
前記支持脚３２は、支持台３０をムートンシーツの羊毛部に載置したときに、各支持脚３２が羊毛を掻き分けてその先端部が羊皮上面に接触するように、その直径が１．５ｍｍ〜６．０ｍｍに設定されており、接触した羊皮表面に損傷を与えないように、その下端部が半球状に形成されている。
【００３０】
以上のように構成された加圧厚み測定装置１を用いて、ムートンシーツに人体が横たわったと想定したときの人体の腰部におけるムートンシーツの加圧厚みを測定する方法を以下に説明する。なお、ムートンシーツに人体が横たわったと想定したときの人体の腰部における体圧を、以下の前提条件の下に３４．２ｇ／ｃｍ２と算出し、ダイヤルゲージ１０のスピンドル１１等の可動部の重量を加味して錘２０の重量を設定した。
＜前提条件＞
・人体の体重：７０ｋｇ
・睡眠時における腰部の体圧分散率：４４％
・腰部の接触面積：９００ｃｍ２（３０ｃｍ×３０ｃｍ）
【００３１】
まず、図２（ａ）、（ｂ）に示すように、加圧厚み測定装置１の支持台３０を平坦面上に載置することで、支持脚３２の下端と錘２０の下面とを一致させ、そのときの測定値（液晶表示部１３の値）が０ｍｍとなるように、ダイヤルゲージ１０のゼロ点調整を行う。
【００３２】
次に、図３（ａ）に示すように、加圧厚み測定装置１を平坦面上から一旦持ち上げると共に、平坦面上にムートンシーツＭＳをその羊毛部Ｗ上にして載置した後、同図（ｂ）に示すように、加圧厚み測定装置１の支持台３０をムートンシーツＭＳの上に載置すると、３本の支持脚３２の下端が羊皮Ｓの上面に接触すると共に、ムートンシーツＭＳによって錘２０が持ち上げられ、ムートンシーツＳＭに人体が横たわったと想定したときの人体の腰部における体圧が加わった状態となって初期厚みＩＴの羊毛部Ｗが圧縮されるので、このときの測定値（液晶表示部１３の値）を加圧厚みＰＴとする。
【００３３】
以上のように、この加圧厚み測定装置１は、ゼロ点調整を行った後、ムートンシーツＳＭの上に載置するだけで、各支持脚３２が羊毛を掻き分けてその下端が羊皮Ｓの上面に接触すると共に、錘２０がムートンシーツＭＳの羊毛部Ｗ上面を人体が横たわったと想定したときの人体の腰部における体圧に相当する圧力で下方側に押し下げ、ダイヤルゲージ１０が、ムートンシーツの加圧厚みＰＴである支持脚３２の下端から錘２０の下面までの高さを即座に測定するので、使い勝手が良く、ムートンシーツの評価指標の一つである加圧厚みを短時間で確実に測定することができる。
【００３４】
上述した加圧厚み測定装置１を用いて測定したムートンシーツの加圧厚みＰＴを用いたムートンシーツの評価方法について以下に説明する。表１に示すように、サンプル１〜１０のムートンシーツについて、上述した前提条件の下、人体が横たわったと想定したときの人体の腰部におけるムートンシーツの加圧厚みＰＴを測定し、この加圧厚みＰＴを用いて、サンプル１〜１０の通気性及び弾力性を評価した。
【００３５】
＜通気性評価＞
ムートンシーツの通気性は、加圧前の初期厚み（パイル長）ＩＴや圧縮量に関係なく、人が横たわった部分に確保されている羊毛部Ｗの厚み（加圧厚みＰＴ）が大きい程良いと想定することができるので、ムートンシーツの通気性については、測定した加圧厚みＰＴそのものを評価指標とし、
加圧厚みＰＴ＜１２ｍｍ：Ｂクラス
１２ｍｍ≦加圧厚みＰＴ＜１６ｍｍ：Ａクラス
１６ｍｍ≦加圧厚みＰＴ          ：Ｓクラス
と評価した。
【００３６】
＜弾力性評価＞
ムートンシーツの弾力性については、加圧厚みＰＴ及び加圧前の初期厚みＩＴから、下式（１）に基づいて評価指標ＰＩを算出し、
ＰＩ＝ＰＴ２／ＩＴ  ・・・（１）
ＰＩ：評価指標［ｍｍ］
ＰＴ：加圧厚み［ｍｍ］
ＩＴ：初期厚み［ｍｍ］
この評価指標ＰＩに基づいて、
評価指標ＰＩ＜４ｍｍ：Ｂクラス
４ｍｍ≦評価指標ＰＩ＜７ｍｍ：Ａクラス
７ｍｍ≦評価指標ＰＩ        ：Ｓクラス
と評価した。
【００３７】
【表１】
2020180851.tif 000003
【００３８】
表１から分かるように、加圧厚みＰＴに基づく通気性評価及び評価指標ＰＩに基づく弾力性評価は、専門家の感覚（感触）による評価と若干異なるところはあるものの概ね一致していた。このように、加圧厚みＰＴに基づく通気性評価及び評価指標ＰＩに基づく弾力性評価は、評価の根拠となる指標が具体的かつ客観的であり、専門家の感覚（感触）に依存した従来の評価方法に比べて、ムートンシーツを購入しようとする消費者には分かり易く、理解を得やすいという効果が得られる。
【００３９】
なお、上述した実施形態では、人体の体重を７０ｋｇと想定しているが、これに限定されるものではなく、例えば、１２０ｋｇ〜７０ｋｇの間で適宜設定すればよい。また、このように、人体の体重を固定値にするのではなく、例えば、ムートンシーツの購入を考えている特定の使用対象者の体重に応じた重量の錘２０を使用することで、特定の使用対象者の体重に応じた加圧厚みを測定することができ、ムートンシーツの購入を考えている特定の使用対象者に対する個別具体的な指標としての加圧厚みを簡単に測定することができると共に、こういった特定の使用対象者の体重に応じた加圧厚みを用いて通気性や弾力性を評価することで、特定の使用対象者に適したムートンシーツを勧めることができるという効果が得られる。
【００４０】
このように、錘２０の重量を、特定の使用対象者の体重に応じた重量にするには、ベースとなる基本錘をスピンドル１１に固定しておき、この基本錘の上に調整錘を着脱自在に取り付けたり、調整錘に代えてスピンドル１１のスライド抵抗を調整したりすることが考えられる。
【００４１】
また、ムートンシーツを加圧する前の初期厚み（パイル長）は、ムートンシーツ毎に開示されているが、必ずしも、正確な値であるとはいえないので、例えば、図４に示すように、少なくとも、１本の支持脚３２にその下端からの高さを示す計測用の目盛り３３を付しておくと、図５に示すように、ムートンシーツの加圧厚みを測定する際に、初期厚み（パイル長）も同時に測定することができ、さらに使い勝手が良い。
【００４２】
特に、図６に示すように、計測用の目盛り３３を付した支持脚３２に支持台３０の外側に張り出す計測ガイド３４を上下方向にスライド自在に保持しておくと、計測ガイド３４の下面をムートンシーツの加圧されていない羊毛部Ｗの上端に合わせることで、初期厚み（パイル長）をさらに精度良く測定することができる。この場合、計測ガイド３４の上下端間の長さ分だけ計測用の目盛り３３を上方側に位置ずれさせておくと、計測ガイド３４の上端位置に対応する目盛りを読むことで、初期厚み（パイル長）を測定することができるので、使い勝手が良い。
【００４３】
また、上述した実施形態では、基準位置から錘２０の下面までの高さを測定する高さ測定手段として、デジタル式のダイヤルゲージ１０を採用しているが、これに限定されるものではなく、スピンドルの直線運動を歯車（ラック・アンド・ピニオン）によって回転運動に変換し、さらに歯車を用いて拡大し、目盛りと指針でその動きの大きさを表すアナログ式のダイヤルゲージを採用することも可能である。
【００４４】
また、図７に示すように、ダイヤルゲージを使用することなく、支持台３０Ａを貫通して上下方向にスライドするスケール１０Ａを設けておき、このスケール１０Ａの下端に錘２０Ａを取り付けるようにしてもよい。この場合、同図に示すように、支持台３０Ａを平坦面に載置したときに、支持台３０Ａの支持盤３１Ａの上端面がスケール１０Ａの０目盛りに対応するように目盛りを付しておくと、０点測定が不要となり、図８に示すように、加圧厚みの測定時には、支持盤３１Ａの上端面が対応するスケール１０Ａの目盛りを読むだけで、即座に加圧厚みが測定できるので、使い勝手が良い。また、上述したように、初期厚み（パイル長）を併せて測定することを考慮すると、支持脚３２Ａに初期厚み計測用の目盛り３３Ａを付すと共に、その支持脚３２Ａに計測ガイド３４Ａを取り付けておくことが望ましい。
【００４５】
また、上述した支持台３０、３０Ａは、円形状の支持盤３１、３１Ａと、この支持盤３１、３１Ａの外周縁部から垂下する３本の支持脚３２、３２Ａとから構成されているが、支持盤は円形状のものに限定されず、支持脚の本数も４本以上であってもよい。
【産業上の利用可能性】
【００４６】
本発明は、ムートンシーツの購入を考えている使用対象者に適したムートンシーツを勧める場合に利用することができる。
【符号の説明】
【００４７】
１  ムートンシーツの加圧厚み測定装置
１０  デジタル式のダイヤルゲージ（高さ測定手段）
１０Ａ  スケール（高さ測定手段）
１１  スピンドル
１２  ケース
１３  液晶表示部
２０、２０Ａ  錘
３０、３０Ａ  支持台（基準部材）
３１、３１Ａ  支持盤
３２、３２Ａ  支持脚
３３、３３Ａ  目盛り
３４、３４Ａ  計測ガイド
ＭＳ  ムートンシーツ
Ｓ  羊皮
Ｗ  羊毛部
【図１】
2020180851.tif 000004
【図２】
2020180851.tif 000005
【図３】
2020180851.tif 000006
【図４】
2020180851.tif 000007
【図５】
2020180851.tif 000008
【図６】
2020180851.tif 000009
【図７】
2020180851.tif 000010
【図８】
2020180851.tif 000011